(57)【要約】【課題】複数の入力ポートを備えた音声出力装置において、出力音声を円滑に選択する。【解決手段】複数の入力ポート（１１）を備えた音声出力装置（１）において、複数の入力ポートのそれぞれについて、入力データに音声データが含まれているのか否かを判定する判定部（１２）と、判定部による判定結果に応じて出力音声を切り替える切り替え部（１３）とを備えている。【選択図】図１
2018133705.tif 000002
【特許請求の範囲】
【請求項１】
複数の入力ポートを備えた音声出力装置であって、
上記複数の入力ポートのそれぞれについて、入力データに音声データが含まれているのか否かを判定する判定部と、
上記判定部による判定結果に応じて出力音声を切り替える切り替え部と
を備えていることを特徴とする音声出力装置。
【請求項２】
上記複数の入力ポートのうち、入力データに音声データが含まれている入力ポートが１つであると上記判定部が判定した場合、上記切り替え部は、当該音声データが含まれている入力ポートの音声データを出力する
ことを特徴とする請求項１に記載の音声出力装置。
【請求項３】
上記複数の入力ポートのうち、入力データに音声データが含まれている入力ポートが複数あると上記判定部が判定した場合、上記切り替え部は、音声データが含まれている当該複数の入力ポートの音声データを互いに比較し、音声データが同一であると判断した場合には、入力データに音声データが含まれている当該複数の入力ポートの何れかの音声データを出力する
ことを特徴とする請求項１に記載の音声出力装置。
【請求項４】
上記切り替え部は、音声データが含まれている当該複数の入力ポートの音声データを互いに比較し、音声データが同一であると判断した場合には、入力データに音声データが含まれている当該複数の入力ポートのうち、予めユーザによって指定されている入力ポートの音声データを出力する
ことを特徴とする請求項３に記載の音声出力装置。
【請求項５】
上記複数の入力ポートのうち、入力データに音声データが含まれている入力ポートが複数あると上記判定部が判定した場合であって、各音声データが互いに異なっていると上記切り替え部が判断した場合、
上記切り替え部は、
音声データが含まれている当該複数の入力ポートをユーザに提示し、ユーザによって指定された入力ポートの音声データを出力する、
各入力データに含まれるメタデータを参照して、出力すべき音声データを決定する、及び、
ユーザによって予め指定されている入力ポートの音声データを出力する
の何れかの処理を行うことを特徴とする請求項１に記載の音声出力装置。
【請求項６】
上記複数の入力ポートは、ＨＤＭＩ（High-Definition Multimedia Interface）ポートである
ことを特徴とする請求項１から５の何れか１項に記載の音声出力装置。
【請求項７】
８Ｋ対応の映像を表示する表示部をさらに備えており、
上記複数の入力ポートのそれぞれからは、映像データがさらに入力される
ことを特徴とする請求項１から６の何れか１項に記載の音声出力装置。
【請求項８】
請求項１から７の何れか１項に記載の音声出力装置を備えたテレビジョン受像機。
【発明の詳細な説明】
【技術分野】
【０００１】
本発明は、音声出力装置、及び、テレビジョン受像機に関する。
【背景技術】
【０００２】
映像データ入力用として４個のＨＤＭＩ（High-Definition Multimedia Interface、登録商標）ポートを有する８Ｋモニタにおいて、音声入力用として利用するポート（以下、「音声入力ポート」という）は、ユーザがメニュー画面を操作することにより選択する。８Ｋモニタは、複数の音声入力ポートを有する場合に、ユーザによりメニュー画面で選択されているポートの音声を出力する。
【先行技術文献】
【特許文献】
【０００３】
【特許文献１】特開平１１−１８５３８９号公報（１９９９年７月９日公開）
【発明の概要】
【発明が解決しようとする課題】
【０００４】
一方、メニュー画面で選択されていない音声入力ポートに音声データが存在したとしても、そのような音声データは、処理対象外であり、出力されることはないという問題がある。そして、メニュー画面で選択されていない音声入力ポートに関しては、当該音声入力ポートが存在することさえ、認識されない。
【０００５】
さらに、音声入力ポートとして選択されているＨＤＭＩポートに音声データがなく、他のＨＤＭＩポートに音声データが入力されているとき、ユーザは、選択対象の音声入力ポートをメニュー画面で再設定する必要があるという問題もある。
【０００６】
なお、特許文献１に記載されている音声再生装置は、多重化された音声、パケット単位の音声から最適の音声を選択するものであり、複数の音声入力ポートから、出力音声を選択する際の上記問題に資するものではない。
【０００７】
本発明の一態様は、複数の入力ポートを備えた音声出力装置において、出力音声を円滑に選択することを目的とする。
【課題を解決するための手段】
【０００８】
上記の課題を解決するために、本発明の一態様に係る音声出力装置は、複数の入力ポートを備えた音声出力装置であって、上記複数の入力ポートのそれぞれについて、入力データに音声データが含まれているのか否かを判定する判定部と、上記判定部による判定結果に応じて出力音声を切り替える切り替え部とを備えている。
【発明の効果】
【０００９】
本発明の一態様によれば、複数の入力ポートを備えた音声出力装置において、出力音声を円滑に選択することができるという効果を奏する。
【図面の簡単な説明】
【００１０】
【図１】本発明の実施形態１に係る出力装置の構成を示すブロック図である。
【図２】本発明の実施形態１に係るテレビジョン受像機の外観を示す正面図である。
【図３】本発明の実施形態１に係る出力装置の処理を示すチャートである。
【図４】本発明の実施形態１に係る音声設定メニュー画面の例を示す図である。
【図５】本発明の実施形態１に係る音声データが複数の入力ポートにある場合の音声選択画面の例を示す図である。
【発明を実施するための形態】
【００１１】
〔実施形態１〕
以下、本発明の実施の形態について、詳細に説明する。
【００１２】
（テレビジョン受像機２）
本実施形態に係る出力装置（音声出力装置）１を備えているテレビジョン受像機２について、図面を参照して説明する。図１は、出力装置１の構成を示すブロック図である。また、図２は、テレビジョン受像機２の外観を示す正面図である。図１が示すように、出力装置１は、複数の入力ポート１１、判定部１２、切り替え部１３、音声出力部１４、映像処理部１５、映像表示部（表示部）１６、及び、操作受付部１７を備えている。出力装置１は、例えば、８Ｋモニタである。
【００１３】
入力ポート１１は、複数の入力ポートからなり、例えば、８Ｋモニタにおいては、４本の入力ポート１１ａ、１１ｂ、１１ｃ、及び、１１ｄからなる。複数の入力ポート１１は、例えば、ＨＤＭＩ（High-Definition Multimedia Interface）ポート等である。入力ポート１１ａ、１１ｂ、１１ｃ、及び、１１ｄのうち、少なくとも１つのポートからは、音声データが入力される。入力ポート１１ａ、１１ｂ、１１ｃ、及び、１１ｄ（複数の入力ポート）のそれぞれからは、映像データがさらに入力される。なお、以下では、入力ポート１１が４個の場合について説明するが、本実施形態は、入力ポート１１が４個以外の場合にも適用可能である。
【００１４】
判定部１２は、複数の入力ポート１１のそれぞれについて、入力データに音声データが含まれているのか否かを判定する。切り替え部１３は、判定部１２による判定結果に応じて出力音声を切り替えて、音声出力部１４に出力する。これにより、各入力ポート１１の入力データに音声データが含まれているのか否かを判定するので、出力音声を円滑に選択することができる。また、切り替え部１３は、音声設定メニュー画面を生成し、映像表示部１６に表示させるとともに、操作受付部１７が受け付けたユーザ操作に応じて、映像表示部１６に表示された画面を遷移させる。音声出力部１４は、音声を外部に出力するものであり、例えば、スピーカ等である。
【００１５】
映像処理部１５は、入力ポート１１から映像データを取得し、表示用に処理した上で、処理した映像を映像表示部１６に表示させる。映像表示部１６は、映像処理部１５からの映像（例えば、８Ｋ対応の映像等）を表示するものであり、例えば、液晶ディスプレイ等である。操作受付部１７は、ユーザの操作を受け付けるものであり、例えば、ユーザによって指定された入力ポートの識別情報を取得し、切り替え部１３に出力する。
【００１６】
図３は、本実施形態に係る出力装置１の処理を示すチャートである。まず、判定部１２は、４ポート分のＨＤＭＩデータに音声データがあるか否かを判定する（Ｓ１）。４ポート分のＨＤＭＩデータに音声データがある場合（Ｓ２）、判定部１２は、ミュート設定があるか否かを判定する。ミュート設定がない場合（Ｓ４）、判定部１２は、複数の入力ポート１１のうち、入力データに音声データが含まれている入力ポートが１つであるか否かを判定する。複数の入力ポート１１のうち、入力データに音声データが含まれている入力ポートが１つである判定部１２が判定した場合（Ｓ６）、切り替え部１３は、当該音声データが含まれている入力ポートの音声データを出力する（Ｐ１）。これにより、音声データが含まれていると判定された、１つの入力ポートの音声データを出力するので、音声データを確実に出力することができる。
【００１７】
複数の入力ポート１１のうち、入力データに音声データが含まれている入力ポートが複数あると判定部１２が判定した場合（Ｓ７）、切り替え部１３は、音声データが含まれている当該複数の入力ポートの音声データを互いに比較する。切り替え部１３は、音声データが同一であると判断した場合には（Ｓ１０）、入力データに音声データが含まれている複数の入力ポート１１の何れかの音声データを出力する（Ｐ２）。これにより、複数の入力ポート１１の音声データが同一であると判断した場合に、当該複数の入力ポートの何れかの音声データを出力するので、音声データを確実に出力することができる。
【００１８】
なお、切り替え部１３は、音声データが同一であると判断した場合には（Ｓ１０）、入力データに音声データが含まれている複数の入力ポート１１のうち、予めユーザによって音声設定メニュー画面（図４参照）で指定されている入力ポートの音声データを出力してもよい（Ｐ２）。これにより、複数の入力ポート１１の音声データが同一であると判断した場合に、当該複数の入力ポートのうち、予めユーザによって指定されている入力ポートの音声データを出力するので、ユーザの指定に従って音声データを出力することができる。
【００１９】
複数の入力ポート１１のうち、入力データに音声データが含まれている入力ポートが複数あると判定部１２が判定した場合であって（Ｓ７）、各音声データが互いに異なっていると切り替え部１３が判断した場合（Ｓ１１）、切り替え部１３は、音声データが含まれている当該複数の入力ポートをアイコン等によりユーザに提示し、ユーザによって指定された（Ｓ１４）入力ポートの音声データを出力する（Ｐ３）。この場合、切り替え部１３は、ユーザが複数の入力ポートの音声データを視聴した上で、選択可能とする。
【００２０】
切り替え部１３は、各入力データに含まれるメタデータを参照して、マスタポートを検出した場合（Ｓ１５）、出力すべき音声データを決定し、当該ポートの音声データを出力する（Ｐ４）。切り替え部１３は、例えば、音声データを含む入力ポート１１において、音声データではないInfoFrameパケットの受信数を観測し、ソース機器がマスタポートとして使用していると特定される入力ポートの音声データを出力する。なお、各音声データが互いに異なっていると切り替え部１３が判断した場合（Ｓ１１）、切り替え部１３は、ユーザによって予め指定されている入力ポートの音声データを出力してもよい。
【００２１】
InfoFrameパケットの受信数を観測して、ソース機器がマスタポートとして使用している入力ポートを特定する方法について、その一例を説明する。InfoFrameパケットには、AVI InfoFrame、VS InfoFrame、HDR InfoFrame等、映像表示において必要なInfoFrameがある。８Ｋモニタでは、４本のＨＤＭＩ入力全てを使って１つの８Ｋ映像を構成するため、１本のＨＤＭＩ入力のみにより上記のInfoFrameを受信すれば、映像処理・表示が可能になる。ソース機器が上記のInfoFrameを、特定の１本のＨＤＭＩのみを通じて送信すると、当該１本の入力ポートのInfoFrameの受信量が他の入力ポートよりも多くなる。その結果、８Ｋモニタでは、ソース機器が当該１本の入力ポートをマスタポートとして使用していると推測することができる。
【００２２】
上記によれば、複数の入力ポート１１の音声データが異なると判断した場合であっても、ユーザへの提示に対するユーザの指定、メタデータの参照、又は、予め行われたユーザの指定により、出力音声を円滑に選択することができる。
【００２３】
出力装置１において、音声出力がミュート設定されており、かつ、音声データがある場合には、ユーザに音声データがある旨を提示し（試聴も可能とする）、ミュート解除の可否を選択できるようにする。
【００２４】
すなわち、ミュート設定がある場合（Ｓ５）、判定部１２は、複数の入力ポート１１のうち、入力データに音声データが含まれている入力ポートが１つであるか否かを判定する。複数の入力ポート１１のうち、入力データに音声データが含まれている入力ポートが１つである判定部１２が判定した場合（Ｓ８）、切り替え部１３は、音声データが含まれている当該複数の入力ポートをアイコン等によりユーザに提示し、ユーザによって選択された出力可否に応じて（Ｓ１６）、入力ポートの音声データを出力するか否かを決定する（Ｐ５、Ｐ６）。この場合、切り替え部１３は、ユーザが複数の入力ポートの音声データを視聴した上で、選択可能とする。
【００２５】
複数の入力ポート１１のうち、入力データに音声データが含まれている入力ポートが複数あると判定部１２が判定した場合（Ｓ９）、切り替え部１３は、音声データが含まれている当該複数の入力ポートの音声データを互いに比較する。
【００２６】
切り替え部１３は、音声データが同一であると判断した場合には（Ｓ１２）、音声データが含まれている当該複数の入力ポートをアイコン等によりユーザに提示し、ユーザによって選択された出力可否に応じて（Ｓ１７）、入力ポートの音声データを出力するか否かを決定する（Ｐ７、Ｐ８）。この場合、切り替え部１３は、ユーザが複数の入力ポートの音声データを視聴した上で、選択可能とする。切り替え部１３は、音声データを出力する場合（Ｐ７）、入力データに音声データが含まれている複数の入力ポート１１の何れかの音声データを出力する。この場合、切り替え部１３は、予めユーザによって指定されている入力ポートの音声データを出力してもよい。
【００２７】
複数の入力ポート１１のうち、入力データに音声データが含まれている入力ポートが複数あると判定部１２が判定した場合であって（Ｓ９）、各音声データが互いに異なっていると切り替え部１３が判断した場合（Ｓ１３）、切り替え部１３は、音声データが含まれている当該複数の入力ポートをアイコン等によりユーザに提示し、ユーザによって選択された出力可否に応じて（Ｓ１８）、入力ポートの音声データを出力するか否かを決定する（Ｐ９、Ｐ１０）。この場合、切り替え部１３は、ユーザが複数の入力ポートの音声データを視聴した上で、選択可能とする。切り替え部１３は、音声データを出力する場合（Ｐ９）、入力データに音声データが含まれている複数の入力ポート１１の何れかの音声データを出力する。この場合、切り替え部１３は、予めユーザによって指定されている入力ポートの音声データを出力してもよい。
【００２８】
４ポート分のＨＤＭＩデータに音声データがない場合（Ｓ３）、切り替え部１３は、音声を出力しない（Ｐ１１）。
【００２９】
図４は、本実施形態に係る切り替え部１３が生成する音声設定メニュー画面の例を示す図である。音声設定メニュー画面を用いることにより、ユーザは、マスタポートを事前に設定することができる。
【００３０】
図４（ａ）に示すように、切り替え部１３は、音声設定メニュー画面Ｇ１として、音声自動選択機能が「ＯＮ」であり、マスタポート設定が「１ポート設定」であることを示す画面を映像表示部１６に表示させる。そして、切り替え部１３は、操作受付部１７が受け付けた、ユーザの選択操作に応じて、音声設定メニュー画面Ｇ１を、音声自動選択機能画面Ｇ２又はマスタポート設定画面Ｇ３に遷移させる。図４（ｂ）に示すように、音声自動選択機能画面Ｇ２において、操作受付部１７は、ユーザによる、音声自動選択機能の「ＯＮ」又は「ＯＦＦ」選択する操作を受け付ける。
【００３１】
図４（ｃ）に示すように、切り替え部１３は、操作受付部１７が受け付けた、ユーザの選択操作に応じて、マスタポート設定画面Ｇ３を、１ポート設定画面Ｇ４又は複数ポート設定画面Ｇ５に遷移させる。図４（ｄ）に示すように、１ポート設定画面Ｇ４において、操作受付部１７は、ユーザによる、Ａ〜Ｄポートの中から１つのポートを選択する操作を受け付ける。
【００３２】
図４（ｅ）に示すように、切り替え部１３は、複数ポート設定画面Ｇ５として、音声データを選択する場合の入力ポート１１の優先順位を映像表示部１６に表示させる。そして、切り替え部１３は、操作受付部１７が受け付けた、ユーザの選択操作に応じて、複数ポート設定画面Ｇ５を、各順位のポート設定画面に遷移させる。
【００３３】
図４（ｆ）に示すように、切り替え部１３は、第１位ポート設定画面Ｇ６として、優先順位が第１位になるポートを設定する画面を映像表示部１６に表示させる。第１位ポート設定画面Ｇ６において、操作受付部１７は、ユーザによる、優先順位が第１位になるポートを選択する操作を受け付ける。図示しないが、第２位ポート設定画面、第３位ポート設定画面、及び、第４位ポート設定画面は、第１位ポート設定画面Ｇ６と同様の形式である。
【００３４】
出力装置１は、音声データを使用している入力ポート１１から下記のInfoFrameの情報を取得し、記憶しておく。
（１）ＡＣＰ（Audio Contents Protection）、ＩＳＲＣ（International Standard Recording Code）、Audio InfoFrame等の音声に関するパケット
（２）ＳＰＤ（Source Product Descriptor）InfoFrame
出力装置１の電源がＯＦＦまたはＯＮされた場合、出力装置１がＯＮ状態でＨＤＭＩケーブルが抜き差しされた場合、それまで音声データを使用していた入力ポート１１のInfoFrameを取得し、前回までのものと比較し、同一であった場合には、前回と同じ入力ポート１１の音声データを出力する。この場合、InfoFrameデータを取得した入力ポート１１以外に、当該入力ポートと異なる音声データがあっても、音声データが複数あることは提示しない。
【００３５】
図５は、本実施形態に係る音声データが複数の入力ポート１１にある場合に切り替え部１３が生成する音声選択画面の例を示す図である。図５（ａ）に示すように、切り替え部１３は、画面Ｇ１１として、音声１、音声２、及び、ミュートのアイコンを含む画面を映像表示部１６に表示させる。切り替え部１３は、ユーザによる、音声１又は音声２を選択する操作を操作受付部１７が受け付けると、画面Ｇ１１を、図５（ｂ）の画面Ｇ１２に遷移させる。
【００３６】
図５（ｂ）に示すように、画面Ｇ１２において、切り替え部１３は、ユーザに対して、画面Ｇ１１で選択された音声（音声１又は音声２）を視聴可能とする。操作受付部１７は、ユーザによる、当該音声を出力するか否かを選択する操作を受け付ける。ユーザによる、「はい」を選択した操作を操作受付部１７が受け付けると、切り替え部１３は、画面Ｇ１２を、図５（ｄ）の画面Ｇ１３に遷移させる。
【００３７】
図５（ｄ）に示すように、画面Ｇ１３において、切り替え部１３は、画面Ｇ１１で選択された音声を出力しながら、画面Ｇ１２から選択画面を除いた表示を継続させる。
【００３８】
図５（ａ）の画面Ｇ１１において、ユーザによる、ミュートを選択する操作を操作受付部１７が受け付けると、切り替え部１３は、画面Ｇ１１を、図５（ｃ）の画面Ｇ１４に遷移させる。図５（ｃ）に示すように、画面Ｇ１４において、切り替え部１３は、音声を出力することなく、画面Ｇ１１からアイコンを除いた表示を継続させる。
【００３９】
なお、本実施形態に係る出力装置１は、音声入力が複数ある場合、音声入力が複数ある旨をユーザに提示し、音声設定メニュー画面で選択されている入力ポート１１以外の音声選択を可能とする。また、出力装置１は、音声自動選択機能がＯＮに設定されている場合にも、当該機能を作動させるか否かをユーザが状況に応じて判断することを可能とする。さらに、出力装置１は、ユーザがマスタポートを手動で設定する場合、入力ポート間の優先順位を設定可能とする。
【００４０】
〔ソフトウェアによる実現例〕
出力装置１の制御ブロック（特に、判定部１３、切り替え部１４及び映像処理部１５）は、集積回路（ＩＣチップ）等に形成された論理回路（ハードウェア）によって実現してもよいし、ＣＰＵ（Central Processing Unit）を用いてソフトウェアによって実現してもよい。
【００４１】
後者の場合、出力装置１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００４２】
〔まとめ〕
上述したように、本発明の態様１に係る音声出力装置（出力装置１）は、複数の入力ポート（１１）を備えた音声出力装置であって、上記複数の入力ポートのそれぞれについて、入力データに音声データが含まれているのか否かを判定する判定部（１２）と、上記判定部による判定結果に応じて出力音声を切り替える切り替え部（１３）とを備えている。
【００４３】
上記の構成によれば、複数の入力ポートを備えた音声出力装置において、各入力ポートの入力データに音声データが含まれているのか否かを判定するので、出力音声を円滑に選択することができる。
【００４４】
本発明の態様２に係る音声出力装置は、上記態様１において、上記複数の入力ポートのうち、入力データに音声データが含まれている入力ポートが１つであると上記判定部が判定した場合、上記切り替え部が、当該音声データが含まれている入力ポートの音声データを出力することとしてもよい。
【００４５】
上記の構成によれば、音声データが含まれていると判定された、１つの入力ポートの音声データを出力するので、音声データを確実に出力することができる。
【００４６】
本発明の態様３に係る音声出力装置は、上記態様１において、上記複数の入力ポートのうち、入力データに音声データが含まれている入力ポートが複数あると上記判定部が判定した場合、上記切り替え部が、音声データが含まれている当該複数の入力ポートの音声データを互いに比較し、音声データが同一であると判断した場合には、入力データに音声データが含まれている当該複数の入力ポートの何れかの音声データを出力することとしてもよい。
【００４７】
上記の構成によれば、複数の入力ポートの音声データが同一であると判断した場合に、当該複数の入力ポートの何れかの音声データを出力するので、音声データを確実に出力することができる。
【００４８】
本発明の態様４に係る音声出力装置は、上記態様３において、上記切り替え部が、音声データが含まれている当該複数の入力ポートの音声データを互いに比較し、音声データが同一であると判断した場合には、入力データに音声データが含まれている当該複数の入力ポートのうち、予めユーザによって指定されている入力ポートの音声データを出力することとしてもよい。
【００４９】
上記の構成によれば、複数の入力ポートの音声データが同一であると判断した場合に、当該複数の入力ポートのうち、予めユーザによって指定されている入力ポートの音声データを出力するので、ユーザの指定に従って音声データを出力することができる。
【００５０】
本発明の態様５に係る音声出力装置は、上記態様１において、上記複数の入力ポートのうち、入力データに音声データが含まれている入力ポートが複数あると上記判定部が判定した場合であって、各音声データが互いに異なっていると上記切り替え部が判断した場合、上記切り替え部が、音声データが含まれている当該複数の入力ポートをユーザに提示し、ユーザによって指定された入力ポートの音声データを出力する、各入力データに含まれるメタデータを参照して、出力すべき音声データを決定する、及び、ユーザによって予め指定されている入力ポートの音声データを出力する、の何れかの処理を行うこととしてもよい。
【００５１】
上記の構成によれば、複数の入力ポートの音声データが異なると判断した場合であっても、ユーザへの提示に対するユーザの指定、メタデータの参照、又は、予め行われたユーザの指定により、出力音声を円滑に選択することができる。
【００５２】
本発明の態様６に係る音声出力装置は、上記態様１から５において、上記複数の入力ポートが、ＨＤＭＩ（High-Definition Multimedia Interface）ポートであることとしてもよい。
【００５３】
本発明の態様７に係る音声出力装置は、上記態様１から６において、８Ｋ対応の映像を表示する表示部（映像表示部１６）をさらに備えており、上記複数の入力ポートのそれぞれからは、映像データがさらに入力されることとしてもよい。
【００５４】
本発明の態様８に係るテレビジョン受像機（２）は、態様１から７の何れか１項に記載の音声出力装置を備えたテレビジョン受像機である。
【００５５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００５６】
１  出力装置（音声出力装置）
２  テレビジョン受像機
１１  入力ポート
１２  判定部
１３  切り替え部
１６  映像表示部（表示部）
【図１】
2018133705.tif 000003
【図２】
2018133705.tif 000004
【図３】
2018133705.tif 000005
【図４】
2018133705.tif 000006
【図５】
2018133705.tif 000007